(57)【特許請求の範囲】
【請求項１】
電源側断路部が垂直母線に対して接触位置と非接触位置とを有し、前記接触位置で、接地レバーをＯＮにすることにより接地を行うコントロールセンタの母線接地装置ユニットにおいて、
左右に動いてＯＮ-ＯＦＦする接地レバーを有するノントリップ形配線用遮断器と、
前記ノントリップ形配電用遮断器の下方にあって、上下可動で上端が前記ノントリップ形配線用遮断器の前記接地レバーに係合可能で、
下端がコントロールセンタの本体に設けられた落とし込み穴に係合可能な接地レバーロックピンとを備え、前記接地レバーロックピンは前記ノントリップ形配線用遮断器がＯＦＦのと
きのみ前記接地レバーに妨げられることなく落とし込み穴から引き出し可能で、前記ノントリップ形配線用遮断器がＯＮのときは、前記接地レバー
が上にある接地レバーロックピンに当接して落とし込み穴から引き出す事が出来ず、
また、前記電源側断路部の非接触位置では、前記接地レバーロックピンが前記接地レバーに係合して、左右に動かす事にができず前記接地レバーをＯＮにすることができず、
前記電源側断路部の接触位置では、前記接地レバーロックピンが前記落とし込み穴に係合して、前記電源側断路部を非接触位置にできないようにした、
ことを特徴とするコントロールセンタの母線接地装置ユニット。
【発明の詳細な説明】
【０００１】
【発明の属する技術分野】
本発明は、コントロールセンタの保守点検を安全に行うために装着された母線接地装置ユニットに関する。
【０００２】
【従来の技術】
一般に、コントロールセンタは電動機や抵抗負荷などの開閉及び保護を目的とし、それらの主回路開閉器及び監視・制御機器などを単位回路ごとにまとめた単位装置を、閉鎖した外箱に集合的に組み込んで構成される。
また、従来のコントロールセンタの母線接地装置ユニットは、その操作の重要性から、より作業の安全を確保するために、インターロック付きの扉を開けた後でも、垂直母線に対して接触位置と非接触位置を有する構造としている。
【０００３】
以下、図５から図８をもとに、従来のコントロールセンタの母線接地装置ユニットの概要について説明する。
なお、図５は従来のコントロールセンタの母線接地装置ユニットの正面図である。図６から図８は図５のＢ−Ｂ矢視側面図であり、垂直母線に対して非接触位置の状態、垂直母線に対して接触位置の状態および接地中の状態をそれぞれ示す。
【０００４】
ユニット扉３内に母線接地装置ユニット１９を収納し、奥行き方向には垂直母線５を配置してある。母線接地装置ユニット１９の正面側には、挿入ボルト８、電源側接触子２５、接地レバー２０および接地位置ロックピン２１を設け、背面側には、電源側断路部４を設けてある。電源側断路部４は電源側接触子２５と電気的に接続されており、挿入ボルト８を操作することにより、垂直母線５に対して接触位置と非接触位置を有することが可能である。
【０００５】
接地レバー２０の一方には、接地レバー接触子２４が取り付けてあり、他方は負荷側断路部１２を介して、図示しない当該ユニット外部の接地回線と電気的に接続されている。
接地位置ロックピン２１は接地レバー２０を操作することにより、下方に押し出されるようになっており、母線接地装置ユニット１９が垂直母線５と接触位置でのみ、本体側固定部に設けた落とし込み穴１５に挿入可能である。
【０００６】
上記母線接地装置ユニットにおいて、接地作業を行う場合には、図６に示す母線接地装置ユニット１９が垂直母線５に対して非接触位置の状態で、ユニット扉３を開けた後、挿入ボルト８を操作することにより、図７に示すように、母線接地装置ユニット１９を垂直母線５の方向に移動させて、電源側断路部４を垂直母線５に対して接触位置にする。
【０００７】
この後、接地レバー２０を操作して、図８に示すように、接地レバー接触子２４を電源側接触子２５に接合させることにより、接地を行う。なお、この状態では、接地位置ロックピン２１が落とし込み穴１５に挿入されるので、電源側断路部４が垂直母線５に対して非接触位置になることはない。
【０００８】
【発明が解決しようとする課題】
しかしながら、上記従来のコントロールセンタの母線接地装置ユニットでは、接地レバー接触子２４と電源側接触子２５の接合部分が母線接地装置ユニット１９の中で露出しており、長期間使用しない場合には、埃の堆積により接点部分の信頼性が低下するという問題があった。
【０００９】
本発明の目的は、ノントリップ形配線用遮断器を使用し、かつノントリップ形配線用遮断器の接地レバーとコントロールセンタの本体に設けられた落とし込み穴に係合可能なインターロックを備えることにより、信頼性を向上させることである。
【００１０】
【課題を解決するための手段】
本発明では、電源側断路部が垂直母線に対して接触位置と非接触位置とを有し、前記接触位置で、接地レバーをＯＮにすることにより接地を行うコントロールセンタの母線接地装置ユニットにおいて、ノントリップ形配線用遮断器と、一端が前記ノントリップ形配線用遮断器の前記接地レバーに係合可能で、かつ他端がコントロールセンタの本体に設けられた落とし込み穴に係合可能な接地レバーロックピンとを備え、前記電源側断路部の非接触位置では、前記接地レバーロックピンが前記接地レバーに係合して、前記接地レバーをＯＮにすることができず、前記電源側断路部の接触位置では、前記接地レバーロックピンが前記落とし込み穴に係合して、前記電源側断路部を非接触位置にできないようにしたことを特徴とする。
【００１１】
【発明の実施の形態】
図１は本発明のコントロールセンタの母線接地装置ユニットの正面図である。図２から図４は図１のＡ−Ａ矢視側面図であり、垂直母線に対して非接触位置の状態、垂直母線に対して接触位置の状態および接地中の状態をそれぞれ示す。
【００１２】
ユニット扉３内に母線接地装置ユニット１を収納し、奥行き方向には垂直母線５を配置してある。母線接地装置ユニット１の正面側には、挿入ボルト８、ノントリップ形配線用遮断器１８および接地レバーロックピン１３を設け、背面側には、電源側断路部４を設けてある。電源側断路部４はノントリップ形配線用遮断器１８の一次側と電気的に接続されており、挿入ボルト８を操作することにより、垂直母線５に対して接触位置と非接触位置を有することが可能である。
【００１３】
ノントリップ形配線用遮断器１８の二次側は負荷断路部１２を介して、図示しない当該ユニット外部の接地回路と電気的に接続されている。
接地レバーロックピン１３は上下方向に動かすことが可能になっており、上の位置にあるときには、ノントリップ形配線用遮断器１８の接地レバー２が操作できないようになっている。また、下の位置にするときには、本体側固定部に設けた落とし込み穴１５に挿入しなければならないようになっているため、母線接地装置ユニット１が垂直母線５と接触位置でのみ可能である。
【００１４】
なお、接地レバー２は、図１上では、左右に動かすことができ、右側がＯＦＦ、すなわち接地解除の状態であり、左側がＯＮ、すなわち接地の状態であり、図１および図２の状態はＯＦＦである。
【００１５】
上記母線接地装置ユニットにおいて、接地作業を行う場合には、図２に示す母線接地装置ユニット１が垂直母線に対して非接触位置の状態で、ユニット扉３を開けた後、挿入ボルト８を操作することにより、図３に示すように、母線接地装置ユニット１を垂直母線５の方向に移動させて、電源側断路部４を垂直母線５に対して接触位置とする。
【００１６】
この後、図４に示すように、接地レバーロックピン１３を下方に下げる。これにより、接地レバー２の操作が可能になるので、接地レバー２をＯＮにすることにより、接地を行う。この状態では、接地レバーロックピン１３を上げようとしても、ＯＮにした接地レバー２に当接するので、接地レバー２をＯＦＦにしない限り、上げることができない。すなわち、接地レバーロックピン１３が落としこみ穴１５に挿入されたままの状態となっているため、接地レバー２がＯＮ状態では、母線接地装置ユニット１を引き出すことはできないので、電源側断路部４が垂直母線５に対して非接触位置となることはない。
【００１７】
【発明の効果】
本発明によれば、ノントリップ形配線用遮断器を使用することにより、接点部分の信頼性を向上させることができ、かつ接地レバーロックピンを設け、その一方はノントリップ形配線用遮断器の接地レバーと係合させ、他方は固定底板部分に設けた落とし込み穴に係合させることにより、母線接地装置ユニットが垂直母線と接触位置でのみ接地可能であり、接地中は母線接地装置ユニットを垂直母線と非接触位置に戻すことができないので、接地作業の安全性を確保する効果がある。
【図面の簡単な説明】
【図１】本発明のコントロールセンタの母線接地装置ユニットの実施の形態の一例を示す正面図である。
【図２】その電源側断路部と垂直母線が非接触位置の状態における図１のＡ−Ａ矢視側面図である。
【図３】その電源側断路部と垂直母線が接触位置の状態における図１のＡ−Ａ矢視側面図である。
【図４】その接地中における図１のＡ−Ａ矢視側面図である。
【図５】従来のコントロールセンタの母線接地装置ユニットの一例を示す正面図である。
【図６】その電源側断路部と垂直母線が非接触位置の状態における図５のＢ−Ｂ矢視側面図である。
【図７】その電源側断路部と垂直母線が接触位置の状態における図５のＢ−Ｂ矢視側面図である。
【図８】その接地中における図５のＢ−Ｂ矢視側面図である。
【符号の説明】
１  母線接地装置ユニット
２  接地レバー
３  ユニット扉
４  電源側断路部
５  垂直母線
８  挿入ボルト
１２  負荷側断路部
１３  接地レバーロックピン
１５  落とし込み穴
１８  ノントリップ形配線用遮断器
【図１】
0003811934.tif 000002
【図２】
0003811934.tif 000003
【図３】
0003811934.tif 000004
【図４】
0003811934.tif 000005
【図５】
0003811934.tif 000006
【図６】
0003811934.tif 000007
【図７】
0003811934.tif 000008
【図８】
0003811934.tif 000009